(57)【要約】【課題】繰り出し容器に棒状化粧料の折損、抜け落ち等が生じる衝撃が加えられたり、使用時に棒状化粧料が強く押圧されたときにも、この衝撃や押圧に対応して球形係合部が係合受部内で回動折曲したり摺動して衝撃を吸収することが可能となる。【解決手段】棒状化粧料３の一端を装着した保持体１と、回動筒６内の螺溝７に係合した支持軸８とを別体にて形成する。保持体１の支持軸８方向に突出形成した球形係合部１３を、支持軸８に設けた係合受部１４の内部に挿入挟持すると共に回動可能に係合し、保持体１と係合受部１４とを球形係合部１３を介して摺動または及び折り曲げ可能に接続する。【選択図】図１
2005245623.tif 000002
【特許請求の範囲】
【請求項１】
棒状化粧料の一端を装着した保持体を、回動筒内の螺溝に係合した支持軸に接続し、この回動筒に連続して設けた収納筒内に棒状化粧料とともに収納し、回動筒を回動することにより、支持軸を軸方向に移動させて棒状化粧料を繰出可能とするものに於いて、支持軸と保持体とを別体にて形成し、この保持体の支持軸方向に突出形成した球形係合部を、支持軸に設けた係合受部の内部に挿入挟持すると共に回動可能に係合し、保持体と係合受部とを球形係合部を介して摺動または及び折り曲げ可能に接続したことを特徴とする棒状化粧料の繰出容器。
【請求項２】
係合受部は、球形係合部に臨ませた棒状化粧料側に受部を突出し、球形係合部の摺動範囲を抑制可能としたことを特徴とする請求項１の棒状化粧料の繰出容器。
【請求項３】
球形係合部は、支持軸方向の内面に弾性凹部を形成し、球形係合部に外圧が加えられたときに弾性変形可能に形成したことを特徴とする請求項１または２の棒状化粧料の繰出容器。
【発明の詳細な説明】
【技術分野】
【０００１】
本発明は、口紅、リップクリーム、眉墨、アイライナー、アイシャドーまたはファンデーションなどの棒状化粧料の繰出容器に関するものである。
【背景技術】
【０００２】
従来、口紅、リップクリーム、眉墨、アイライナー、アイシャドーまたはファンデーションなどの棒状化粧料の繰出容器に於いては、一般的に、軟弱な棒状化粧料を固定した保持体と、この保持体を繰り出すための支持軸とが剛直に連結固定されている。そのため輸送中や携帯時に繰出容器に衝撃が加えられると、この衝撃が軟弱な棒状化粧料と保持体との接続部に直接加えられるものとなり、棒状化粧料の折損や、保持体からの脱落を生じやすいものとなっていた。また、棒状化粧料の使用時にも、棒状化粧料を使用目的部に強く押圧し過ぎると、衝撃を加えた場合と同様に棒状化粧料の折損を生じ易いものであった。
【０００３】
また、このような欠点を除去する目的で特許文献１に示す如く、軟弱な棒状化粧料を固定した保持体と、この保持体を繰り出すための支持軸とを、スプリングまたは弾性ゴムを介して接続することが行われている。そして、衝撃が加えられた場合や、使用時の棒状化粧料への押圧が強すぎる場合は、スプリングまたは弾性ゴムが弾性変形することにより衝撃を吸収し、棒状化粧料の折損や抜け落ちを防止している。
【０００４】
また、他の方法では特許文献２に記載の通り、支持軸とこの支持軸を螺着した固定筒との間にクリアランス空間を設け、棒状化粧料の保持体をクリアランス空間の後方に付勢するスプリングを固定筒内に配置したものが知られている。この方法では衝撃が加えられると、棒状化粧料の保持体がスプリングの力に抗してクリアランス空間の前方に移動し、スプリングが衝撃を吸収するよう構成している。
【特許文献１】実開平７−１６７１１号公報
【特許文献２】特開平１０−４２９４６号公報
【発明の開示】
【発明が解決しようとする課題】
【０００５】
しかしながら、特許文献１に示す発明では、軟弱な棒状化粧料を固定した保持体と、この保持体を繰り出すための支持軸とを、スプリングまたは弾性ゴムを介して接続しているから、保持体と支持軸との接続安定性が悪く、強い衝撃が加わえられない僅かな揺動等でも、保持体と支持軸との間に位置ズレを生じ、使用上の安定性が悪いものとなる。
【０００６】
また、特許文献２に示す構成は、支持軸とこの支持軸を螺着した固定筒との間にクリアランス空間を設け、棒状化粧料の保持体をクリアランス空間の後方に付勢するスプリングを固定筒内に配置したものであるから、構成が複雑となり製造上多くの手数を要し、製品を高価なものとする欠点を有している。
【０００７】
本発明は、上述の如き課題を解決しようとするものであって、口紅、リップクリーム、眉墨、アイライナー、アイシャドーまたはファンデーションなどの棒状化粧料の繰出容器に於いて、輸送中や携帯時に繰出容器に衝撃が加えられたり、使用時に棒状化粧料を目的部に強く押圧し過ぎた場合も、この衝撃や押圧力を保持体部分で吸収し、棒状化粧料の折損や、保持体からの脱落を生じ無いようにするものである。また、衝撃吸収機構を棒状化粧料の折損を生じない程度の衝撃の場合には、安定よく保持し不必要に揺動することなく安定した使用を可能とし、使用感を良好とすると共に、構造を簡略化し廉価な製品を得ることを目的とするものである。
【課題を解決するための手段】
【０００８】
本発明は上述の如き課題を解決するため、棒状化粧料の一端を装着した保持体を、回動筒内の螺溝に係合した支持軸に接続し、この回動筒に連続して設けた収納筒内に棒状化粧料とともに収納し、回動筒を回動することにより、支持軸を軸方向に移動させて棒状化粧料を繰出可能とするものに於いて、支持軸と保持体とを別体にて形成し、この保持体の支持軸方向に突出形成した球形係合部を、支持軸に設けた係合受部の内部に挿入挟持すると共に回動可能に係合し、保持体と係合受部とを球形係合部を介して摺動または及び折り曲げ可能に接続して成るものである。
【０００９】
また、係合受部は、球形係合部に臨ませた棒状化粧料側に受部を突出し、球形係合部の摺動範囲を抑制可能としたものであっても良い。
【００１０】
また、球形係合部は、支持軸方向の内面に弾性凹部を形成し、球形係合部に外圧が加えられたときに弾性変形可能に形成したものであっても良い。
【発明の効果】
【００１１】
本発明は、棒状化粧料の一端を装着した保持体に球形係合部を突出し、この球形係合部を支持軸に設けた係合受部の内部に挿入挟持すると共に回動及びまたは摺動可能に係合するものであるから、繰り出し容器に棒状化粧料の折損、抜け落ち等が生じる衝撃が加えられたり、使用時に棒状化粧料が強く押圧されたときには、この衝撃や押圧に対応して球形係合部が係合受部内で回動折曲したり摺動して衝撃を吸収することが可能となる。また、繰り出し容器への衝撃や棒状化粧料への押圧力が、棒状化粧料の折損、抜け落ち等が生じない範囲のものである場合は、係合受部の内部に挟持された球形係合部の回動折曲や摺動が生じない挟持力としておけば、安定の良い棒状化粧料の保持を可能とすることが出来る。そのため、弱い衝撃で係合受部部分に揺動が生じたりすることもなく安定性に優れた繰り出し容器の使用を可能とする。また、構成が簡略であるから製造も容易で廉価な製品を得ることが可能となる。
【実施例１】
【００１２】
以下本発明の第１実施例を図１〜図３に於いて説明すれば、(１)は保持体で、一端に設けた保持部(２)に口紅、リップクリーム、眉墨、アイライナー、アイシャドーまたはファンデーションなどの棒状化粧料(３)の一端を固定している。この棒状化粧料(３)の外周を保護パイプ(４)より被覆すると共に、この保護パイプ(４)の外周に収納筒(５)を固定配置している。
【００１３】
また、この収納筒(５)の下端には回動自在な回動筒(６)を配置し、この回動筒(６)の内周に設けた螺溝(７)に、支持軸(８)の螺着部(１０)を回動可能に螺着している。そして、回動筒(６)を回転すれば、螺着部(１０)を介して螺溝(７)に螺着した支持軸(８)が、収納筒(５)方向に移動する。
【００１４】
また、保持部(２)は円形基板(１１)の上面に一定間隔で環状に板状部材を複数枚突出して形成し、この保持部(２)の内側に棒状化粧料(３)の基部を挿入配置している。また、保持体(１)は円形基板(１１)の下端軸方向に支持杆(１２)を突出し、この支持杆(１２)の先端に球形の球形係合部(１３)を固定形成している。この球形係合部(１３)は、支持軸(８)の上端に環状に適宜間隔で複数個の板状部材を突出して形成した係合受部(１４)の内面間に挿入し、球形係合部(１３)の外周面をこの係合受部(１４)の内周面によって回動可能に挟持している。この係合受部(１４)を構成する複数個の板状部材は、先端内方に受部(１５)を突出し、球形係合部(１３)の摺動範囲を抑制し、衝撃による球形係合部(１３)の摺動時に、棒状化粧料(３)の先端が収納筒(５)の蓋体(図示せず)等に接触して変形するのを防止する。
【００１５】
また、係合受部(１４)による球形係合部(１３)の挟持力は、繰出容器(１６)が落下する等の衝撃や使用時の強い押圧により、棒状化粧料(３)の折損や保持体(１)からの抜け落ち等が生じる可能性がある場合は、球形係合部(１３)が保持体(１)内で回動または摺動することにより衝撃を吸収し棒状化粧料(３)の折損や保持体からの抜け落ちを防止することが可能なものである。また、繰出容器(１６)に対する衝撃が弱く棒状化粧料(３)の折損や保持体(１)からの抜け落ちを生じない程度の場合は、保持体(１)内で球形係合部(１３)は位置を移動することが無く、棒状化粧料(３)と支持軸(８)とは安定状態が保たれるものである。
【実施例２】
【００１６】
上記の第１実施例に於いて球形係合部(１３)は、無垢材を使用し内部に空間部等を形成していないが、異なる第２実施例では図４に示す如く、球形係合部(１３)に下端の開口部から内方に円形の弾性凹部(１７)を形成している。このように、弾性凹部(１７)を球形係合部(１３)に形成することにより、球形係合部(１３)に弾性力が生じ、繰出容器(１６)に衝撃が加えられたときに球形係合部(１３)が弾性変形しながら衝撃を吸収することも可能となる。そのため、棒状化粧料(３)の折損や保持体(１)からの抜け落ち等が生じる可能性のある衝撃が繰出容器(１６)に加えられた場合に、球形係合部(１３)が保持体(１)内で回動または摺動する衝撃吸収と共に、球形係合部(１３)の弾性変形による衝撃吸収も可能となり、衝撃吸収能力を向上することが可能となる。
【図面の簡単な説明】
【００１７】
【図１】第１実施例の断面図。
【図２】第１実施例の保持体部分の拡大斜視図。
【図３】第１実施例の保持体部分の拡大断面図。
【図４】第２実施例を示す保持体部分の拡大断面図。
【符号の説明】
【００１８】
１    保持体
３    棒状化粧料
５    収納筒
６    回動筒
７    螺溝
８    支持軸
１３    球形係合部
１４    係合受部
１５    受部
１７    弾性凹部
【図１】
2005245623.tif 000003
【図２】
2005245623.tif 000004
【図３】
2005245623.tif 000005
【図４】
2005245623.tif 000006